(57)【要約】【課題】  ブラジャーのライナー又はブラカップに振動按摩器を設けることにより、使用者の胸が大きく見え、かつ前記振動按摩器を起動して胸を按摩すると、使用者の胸をより大きく成長促進させる効果を有するブラジャー按摩装置を提供すること。【解決手段】  主にライナーと、振動按摩器とを組合せて構成されるブラジャー按摩装置であって、前記ライナーの内部に収容空間を形成し、前記収容空間の内部に振動按摩器を収容し、使用者の胸が大きく見えるように、前記ライナーと振動按摩器とをブラカップに結合し、かつ使用者の胸をより大きく成長促進させる為に、前記振動按摩器を起動して胸を按摩することを特徴とするブラジャー按摩装置。【選択図】  図１
0003110852.tif 000002
【実用新案登録請求の範囲】
【請求項１】
主にライナーと、振動按摩器とを組合せて構成されるブラジャー按摩装置であって、
前記ライナーの内部に収容空間を形成し、
前記収容空間の内部に振動按摩器を収容し、
使用者の胸が大きく見えるように、前記ライナーと振動按摩器とをブラカップに結合し、
かつ使用者の胸をより大きく成長促進させる為に、前記振動按摩器を起動して胸を按摩することを特徴とする、
ブラジャー按摩装置。
【請求項２】
前記ライナーと振動按摩器を、ブラカップの裏層に設置したことを特徴とする、
請求項１に記載のブラジャー按摩装置。
【請求項３】
前記ライナーと振動按摩器を、マジック・テープによりブラカップの裏側に粘着したことを特徴とする、
請求項１に記載のブラジャー按摩装置。
【請求項４】
前記振動按摩器を、ブラカップの内部にあるパッドの開口から、パッドの収容空間に収容したことを特徴とする、
請求項１に記載のブラジャー按摩装置。
【考案の詳細な説明】
【技術分野】
【０００１】
本考案はブラジャー按摩装置に係り、特にブラジャーのライナー又はブラカップに振動按摩器を設けたことにより、使用者の胸が大きく見え、かつ前記振動按摩器を起動して胸を按摩すると、使用者の胸をより大きく成長促進させる効果があるブラジャー按摩装置に関するものである。
【背景技術】
【０００２】
生活レベルの向上に伴い女性消費者のブラジャーに対する要求は単なる胸の保護と胸の形状維持から、着用時の快適性と乳房を寄せて上げる効果へと変化している。乳房を寄せて上げる効果により、女性の体曲線をより綺麗にすることができるようになる。
【０００３】
目下、市販されているブラジャーの大半は乳房を寄せて上げることにより、女性使用者の胸をより大きく見せている。しかし、これらのブラジャーは女性使用者の胸をより大きく見せる効果のみで、胸をより大きく成長促進させる効果はない。
【０００４】
このため、胸をより大きく成長促進させる効果を有するものとして、各種の胸按摩器が開発された。しかし、これら胸按摩器の大半はブラカップの裏側に設けられたものであり、使用時には使用者の胸部と直接に接触するため、快適性を有しないものであった。
【考案の開示】
【考案が解決しようとする課題】
【０００５】
本考案の主な目的は、ブラジャーのライナー又はブラカップに振動按摩器を設けることにより、使用者の胸が大きく見え、かつ前記振動按摩器を起動して胸を按摩すると、使用者の胸をより大きく成長促進させる効果を有するブラジャー按摩装置を提供することである。
【課題を解決するための手段】
【０００６】
本願の第一考案に係るブラジャー按摩装置は、主にライナーと、振動按摩器とを組合せて構成されるブラジャー按摩装置であって、前記ライナーの内部に収容空間を形成し、前記収容空間の内部に振動按摩器を収容し、使用者の胸が大きく見えるように、前記ライナーと振動按摩器とをブラカップに結合し、かつ使用者の胸をより大きく成長促進させる為に、前記振動按摩器を起動して胸を按摩することを特徴とするものである。
【０００７】
本願の第二考案に係るブラジャー按摩装置は、本願の第一考案に記載のブラジャー按摩装置において、前記ライナーと振動按摩器とはブラカップの裏層に設置したことを特徴とするものである。
【０００８】
本願の第三考案に係るブラジャー按摩装置は、本願の第一考案に記載のブラジャー按摩装置において、前記ライナーと振動按摩器を、マジック・テープによりブラカップの裏側に粘着したことを特徴とするものである。
【０００９】
本願の第四考案に係るブラジャー按摩装置は、本願の第一考案に記載のブラジャー按摩装置において、前記振動按摩器を、ブラカップの内部にあるパッドの開口から、パッドの収容空間に収容したことを特徴とするものである。
【考案の効果】
【００１０】
本考案のブラジャー按摩装置によれば、ブラジャーのライナー又はブラカップに振動按摩器が設けてあることにより、使用者の胸が大きく見えると共に、前記振動按摩器を起動して胸を按摩すると、使用者の胸をより大きく成長促進させる効果がある
【考案を実施するための最良の形態】
【００１１】
以下、添付図面を参照して本考案の好適な実施の形態を詳細に説明する。
【００１２】
まず、図１を参照する。本考案に係るブラジャー按摩装置は、主にライナー１と、振動按摩器２とを組合せて構成されるものである。
【００１３】
前記ライナー１は、図１、図２、図５、図７に示すように、各種類の形状にすることができる。パッド１１の裏側に収容空間１１１が凹設してあり、且つパッド１１の裏側には被覆布１２が設けてある。パッド１１と被覆布１２との間には開口１３が形成してあり、振動按摩器２は前記開口１３から収容空間１１１内に取り付けることができる。なお、前記パッド１１の外側の端面にはマジック・テープ１４が設けてある。
【００１４】
振動按摩器２は、図３と図４に示すように、一つのハウジング２１の内部には、電源スイッチ２２と、電池２３と、振動素子２４とが設けられている。ハウジング２１には弾性片２１１を形成し、弾性片２１１の外端には前記電源スイッチ２２と当接するための押圧部２１２が凸設してある。
【００１５】
本考案に係るブラジャー按摩装置の使用方法は、図５乃至図７に示すように、ライナー１にある開口１３から振動按摩器２をパッド１１の収容空間１１１内に入れ、前記ライナー１と振動按摩器２とを、ブラカップ３１の裏層に入れる、又は、図８に示すように、ライナー１のパッド１１の外側にあるマジック・テープ１４により、ブラカップ３１の裏側に粘着することもできる。使用者は本考案に係るブラジャー按摩装置を着用して、前記振動按摩器２の弾性片２１１の外端にある押圧部２１２を押すことによって電源スイッチ２２をオンにすると、ブラジャー按摩装置は胸に対して振動按摩することで、使用者の胸を大きくするよう成長促進させる効果を有する。
【００１６】
また、図９と図１０に示すように、本考案は、他のスタイルのブラジャー３のブラカップ３１の内部にあるブラパッド３２の対応する位置に収容空間３２１を別々に設けることもできる。ブラパッド３２の周縁にある開口３２２から振動按摩器２を前記収容空間３２１内に入れることにより、使用者は本考案に係るブラジャー按摩装置を着用するときに、ブラジャー按摩装置が胸に対して振動按摩することで、使用者の胸を大きく成長促進させる効果を有する。
【図面の簡単な説明】
【００１７】
【図１】本考案の構造の断面概略図である。
【図２】本考案に係るライナーの分解斜視図である。
【図３】本考案に係る振動按摩器の側面断面図である。
【図４】本考案に係る振動按摩器の平面断面図である。
【図５】本考案の使用状態を示す概略図である。
【図６】本考案の使用状態を示す側面断面図である。
【図７】本考案の使用状態を示す概略図である。
【図８】本考案の使用状態を示す概略図である。
【図９】本考案の使用状態を示す概略図である。
【図１０】本考案の使用状態を示す概略図である。
【符号の説明】
【００１８】
１        ライナー                  １１      パッド
１１１    収容空間                  １２      被覆布
１３      開口                      １４      マジック・テープ
２        振動按摩器                ２１      ハウジング
２１１    弾性片                    ２１２    押圧部
２２      電源スイッチ              ２３      電池
２４      振動素子                  ３        ブラジャー
３１      ブラカップ                ３２      ブラパッド
３２１    収容空間                  ３２２    開口
【図１】
0003110852.tif 000003
【図２】
0003110852.tif 000004
【図３】
0003110852.tif 000005
【図４】
0003110852.tif 000006
【図５】
0003110852.tif 000007
【図６】
0003110852.tif 000008
【図７】
0003110852.tif 000009
【図８】
0003110852.tif 000010
【図９】
0003110852.tif 000011
【図１０】
0003110852.tif 000012
【手続補正書】
【提出日】平成16年12月9日(2004.12.9)
【手続補正１】
【補正対象書類名】実用新案登録請求の範囲
【補正対象項目名】全文
【補正方法】変更
【補正の内容】
【実用新案登録請求の範囲】
【請求項１】
主にライナーと、振動按摩器とを組合せて構成されるブラジャー按摩装置であって、
前記ライナーの内部に収容空間を形成し、
前記収容空間の内部に振動按摩器を収容し、
使用者の胸が大きく見えるように、前記ライナーと振動按摩器とをブラカップに結合し、
かつ使用者の胸をより大きく成長促進させる為に、前記振動按摩器を起動して胸を按摩することを特徴とする、
ブラジャー按摩装置。
【請求項２】
前記ライナーと振動按摩器を、ブラカップの裏層に設置したことを特徴とする、
請求項１に記載のブラジャー按摩装置。
【請求項３】
前記ライナーと振動按摩器を、面ファスナーによりブラカップの裏側に粘着したことを特徴とする、
請求項１に記載のブラジャー按摩装置。
【請求項４】
前記振動按摩器を、ブラカップの内部にあるパッドの開口から、パッドの収容空間に収容したことを特徴とする、
請求項１に記載のブラジャー按摩装置。
【手続補正２】
【補正対象書類名】明細書
【補正対象項目名】０００８
【補正方法】変更
【補正の内容】
【０００８】
本願の第三考案に係るブラジャー按摩装置は、本願の第一考案に記載のブラジャー按摩装置において、前記ライナーと振動按摩器を、面ファスナーによりブラカップの裏側に粘着したことを特徴とするものである。
【手続補正３】
【補正対象書類名】明細書
【補正対象項目名】００１３
【補正方法】変更
【補正の内容】
【００１３】
前記ライナー１は、図１、図２、図５、図７に示すように、各種類の形状にすることができる。パッド１１の裏側に収容空間１１１が凹設してあり、且つパッド１１の裏側には被覆布１２が設けてある。パッド１１と被覆布１２との間には開口１３が形成してあり、振動按摩器２は前記開口１３から収容空間１１１内に取り付けることができる。なお、前記パッド１１の外側の端面には面ファスナー１４が設けてある。
【手続補正４】
【補正対象書類名】明細書
【補正対象項目名】００１５
【補正方法】変更
【補正の内容】
【００１５】
本考案に係るブラジャー按摩装置の使用方法は、図５乃至図７に示すように、ライナー１にある開口１３から振動按摩器２をパッド１１の収容空間１１１内に入れ、前記ライナー１と振動按摩器２とを、ブラカップ３１の裏層に入れる、又は、図８に示すように、ライナー１のパッド１１の外側にある面ファスナー１４により、ブラカップ３１の裏側に粘着することもできる。使用者は本考案に係るブラジャー按摩装置を着用して、前記振動按摩器２の弾性片２１１の外端にある押圧部２１２を押すことによって電源スイッチ２２をオンにすると、ブラジャー按摩装置は胸に対して振動按摩することで、使用者の胸を大きくするよう成長促進させる効果を有する。
【手続補正５】
【補正対象書類名】明細書
【補正対象項目名】００１８
【補正方法】変更
【補正の内容】
【００１８】
１        ライナー                  １１      パッド
１１１    収容空間                  １２      被覆布
１３      開口                      １４      面ファスナー
２        振動按摩器                ２１      ハウジング
２１１    弾性片                    ２１２    押圧部
２２      電源スイッチ              ２３      電池
２４      振動素子                  ３        ブラジャー
３１      ブラカップ                ３２      ブラパッド
３２１    収容空間                  ３２２    開口